(57)【要約】【課題】無線で防災情報を配信する場合であっても、受信装置に安定かつ確実に配信することができる防災情報配信システムを提供すること。【解決手段】子局２１１において親局１１０から送信された防災情報を、電波障害が発生しないように位置と方向を予め選定して取り付けたアンテナにより受信し、電力供給配線インタフェース２１２により、受信した受信信号の搬送中心周波数を、家屋内に設置された電力供給配線２１３を介して伝送可能な周波数帯の搬送信号に周波数変換した後、前記搬送信号を前記電力供給配線を介して住宅内受信装置２１４，２１５，２１６に伝送する。前記住宅内受信装置では、受信した前記搬送信号を、前記親局から送信された元の搬送中心周波数を持つ受信信号に周波数変換した後、拡声音声信号として再生する。【選択図】　　図１
2004072183.tif 000002
【特許請求の範囲】
【請求項１】
無線で防災情報を配信する防災情報配信システムであって、
防災情報に関する信号を無線で送信する親局と、
前記親局から送信された防災情報に関する信号を、予め取り付けられたアンテナで受信する防災情報受信手段と、前記防災情報受信手段が受信した信号を、家屋内に設置された電力供給配線を介して伝送可能な周波数帯に周波数変換して、当該周波数変換された信号を前記電力供給配線を介して伝送する電力供給配線インタフェース手段と、を有する子局と、
前記子局から伝送された防災情報に関する信号を、前記電力供給配線インタフェース手段によって周波数変換される前の信号に変換して、前記防災情報を拡声音声として再生する住宅内受信装置と、
を備えたことを特徴とする防災情報配信システム。
【請求項２】
無線で防災情報を配信する防災情報配信システムであって、
防災情報に関する信号を無線で送信する親局と、
前記親局から送信された防災情報に関する信号を、予め取り付けられたアンテナで受信する防災情報受信手段と、前記防災情報受信手段が受信した信号を復号して得られた情報をバッファリングして、当該情報にダミービットを付加した後、当該ダミービットが付加された情報を読み出しすることによって、家屋内に設置された電力供給配線を介して伝送可能なビットレートおよび周波数帯の信号に変換して、当該変換された信号を前記電力供給配線を介して伝送する電力供給配線インタフェース手段と、を有する子局と、
前記子局から伝送された信号から前記ダミービットを削除した後、前記電力供給配線インタフェース手段によって変換される前の信号に変換して、前記防災情報を拡声音声として再生する住宅内受信装置と、
を備えたことを特徴とする防災情報配信システム。
【請求項３】
無線で防災情報を配信する防災情報配信システムであって、
防災情報に関する信号を無線で送信する親局と、
前記親局から送信された防災情報に関する信号を、予め取り付けられたアンテナで受信する防災情報受信手段と、前記防災情報受信手段が受信した信号を復号して得られた情報をバッファリングして、当該情報を時分割多重した上で電力供給配線に固有のタイムスロットを割り付けることによって速度変換した後、当該タイムスロットが割り付けられた信号を前記電力供給配線を介して伝送する電力供給配線インタフェース手段と、を有する子局と、
前記子局から伝送された信号から所定のタイムスロットのみを抽出することによって、前記電力供給配線インタフェース手段によって速度変換される前の信号に変換して、前記防災情報を拡声音声として再生する住宅内受信装置と、
を備えたことを特徴とする防災情報配信システム。
【請求項４】
無線で防災情報を配信する防災情報配信システムであって、
防災情報に関する信号を無線で送信する親局と、
前記親局から送信された防災情報に関する信号を、予め取り付けられたアンテナで受信する防災情報受信手段と、前記防災情報受信手段が受信した信号を復調して得られた信号に所定の重畳信号を重畳することにより、家屋内に設置された電力供給配線を介して伝送可能な周波数帯に周波数変換して、当該周波数変換された信号を前記電力供給配線を介して伝送する電力供給配線インタフェース手段と、を有する子局と、
前記子局から伝送された防災情報に関する信号から前記所定の重畳信号を分離することによって前記電力供給配線インタフェース手段によって周波数変換される前の信号に変換して、前記防災情報を拡声音声として再生する住宅内受信装置と、
を備えたことを特徴とする防災情報配信システム。
【請求項５】
無線で防災情報を配信する防災情報配信システムであって、
防災情報に関する信号を無線で送信する親局と、
前記親局から送信された防災情報に関する信号を、予め取り付けられたアンテナで受信する防災情報受信手段と、前記防災情報受信手段が受信した信号を復調して得られた信号にＦＭ搬送周波数信号を重畳することにより、ＴＶ放送用の周波数帯のＦＭ信号に変換して、当該ＦＭ信号を家屋内に設置されたＴＶ共聴伝送路を介して伝送するＴＶ共聴伝送路インタフェース手段と、を有する子局と、
前記子局から伝送された防災情報に関するＦＭ信号から前記ＦＭ搬送周波数信号を分離することによって前記ＴＶ共聴伝送路インタフェース手段によって変換される前の信号に変換して、前記防災情報を拡声音声として再生する住宅内受信装置と、
を備えたことを特徴とする防災情報配信システム。
【請求項６】
無線で防災情報を配信する防災情報配信システムであって、
防災情報に関する信号を無線で送信する親局と、
前記親局から送信された防災情報に関する信号を、予め取り付けられたアンテナで受信する防災情報受信手段と、
前記防災情報受信手段が受信した信号を復調して得られた文字情報と音声情報を含む信号に搬送波を重畳することにより、ＴＶ放送用の周波数帯を有する信号に変換して、当該信号を家屋内に設置されたＴＶ共聴伝送路を介して伝送するＴＶ共聴伝送路インタフェース手段と、を有する子局と、
前記子局から伝送された防災情報に関する信号から前記搬送波を分離することによって前記ＴＶ共聴伝送路インタフェース手段によって変換される前の信号に変換する住宅内受信装置と、
前記住宅内受信装置によって変換された信号を復号して、当該復号した信号を前記ＴＶ受信機に送出する信号復号装置と、
前記信号復号装置が復号した信号を受信して、前記防災情報を文字と音声とによって再生するＴＶ受信機と、
を備えたことを特徴とする防災情報配信システム。
【請求項７】
無線で防災情報を配信する防災情報配信システムであって、
防災情報に関する信号を無線で送信する親局と、
前記親局から送信された防災情報に関する信号を、予め取り付けられたアンテナで受信する防災情報受信手段と、前記防災情報受信手段が受信した信号を復調して得られた文字情報と音声情報を含む信号に搬送波を重畳することにより、ＴＶ放送用の周波数帯を有する信号に変換して、当該信号を家屋内に設置されたＴＶ共聴伝送路を介して伝送するＴＶ共聴伝送路インタフェース手段と、を有する子局と、
前記子局から伝送された防災情報に関する情報から前記搬送波を分離することによって前記ＴＶ共聴伝送路インタフェース手段によって変換される前の信号に変換する専用受信装置と、
前記専用受信装置によって変換された信号を復号すると共に、前記復号した信号を前記ＴＶ受信機に送出する信号復号装置と、
前記信号復号装置が復号した信号を受信して、前記防災情報を文字と音声とによって再生するＴＶ受信機と、
前記専用受信装置によって変換された信号を受信したことを確認すると、当該受信を通知する信号を送出する信号受信確認装置と、
前記信号受信確認装置からの通知を受けるとフラッシュライトを駆動するフラッシュライトと、
を備えたことを特徴とする防災情報配信システム。
【請求項８】
無線で防災情報を配信する防災情報配信システムであって、
防災情報に関する信号を無線で送信する親局と、
前記親局から送信された防災情報に関する信号を、予め取り付けられたアンテナで受信する防災情報受信手段と、前記防災情報受信手段が受信した信号をＴＶ放送用の周波数帯のＴＶ信号に変換した情報をバッファリングして、当該情報がトランスポートストリームの所定長バイトとなるようダミービットを付加した後、当該ダミービットが付加された情報を分割して、家屋内に設置されたＴＶ共聴伝送路を介して伝送するＴＶ共聴伝送路インタフェース手段と、を有する子局と、
前記子局から伝送された防災情報に関する信号から受信した信号をバッファリングし、前記トランスポートストリームに合わせて逐次読み出すことにより、前記ＴＶ共聴伝送路インタフェース手段が変換した情報を抽出する専用受信装置と、
前記専用受信装置が抽出した情報を復号して、当該復号した信号を前記ＴＶ受信機に送出する信号復号装置と、
前記信号復号装置が復号した信号を受信して、前記防災情報を文字と音声とによって再生するＴＶ受信機と、
前記専用受信装置が抽出した情報を受信したことを確認すると、当該受信を通知する信号を送出する信号受信確認装置と、
前記信号受信確認装置からの通知を受け取るとリモコン用赤外線信号を発生させるリモコン用赤外線信号発生装置と、
を備えたことを特徴とする防災情報配信システム。
【請求項９】
無線で防災情報を配信する防災情報配信システムであって、
防災情報に関する信号を無線で送信する親局と、
前記親局から送信された防災情報に関する信号を、予め取り付けられたアンテナで受信する防災情報受信手段と、前記防災情報受信手段が受信して復号した１６ＱＡＭの信号をバッファリングし、各象限が４ビットの４象限から成る１６シンボルで構成される１６ＱＡＭ信号を生成した後、前記１６ＱＡＭ信号の各象限の１ビットにダミービットを付加して４ビットと読み替えることで、各象限が１６ビットの４象限から成る６４シンボルで構成される６４ＱＡＭ放送信号を構成し、家屋内に設置されたＴＶ共聴伝送路を介して伝送するＴＶ共聴伝送路インタフェース手段と、を有する子局と、
前記子局から伝送された防災情報に関する６４ＱＡＭ放送信号をバッファリングして、前記ダミービットを読み飛ばすことにより１６ＱＡＭ信号を抽出する専用受信装置と、
前記専用受信装置が抽出した前記１６ＱＡＭ信号を復号して、前記復号した信号を前記ＴＶ受信機に送出する信号復号装置と、
前記信号復号装置が復号した信号を受信して、前記防災情報を再生するＴＶ受信機と、
を備えたことを特徴とする防災情報配信システム。
【請求項１０】
無線で防災情報を配信する防災情報配信システムであって、
防災情報に関する信号を無線で送信する親局と、
前記親局から送信された防災情報に関する信号を、予め取り付けられたアンテナで受信する防災情報受信手段と、前記防災情報受信手段が受信して復号した１６ＱＡＭの信号をバッファリングし、各象限が４ビットの４象限から成る１６シンボルで構成される１６ＱＡＭ信号を生成した後、前記１６ＱＡＭ信号の各象限の１ビットにダミービットを付加して４ビットと読み替えることで、各象限が１６ビットの４象限から成る６４シンボルで構成される６４ＱＡＭ放送信号を構成し、家屋内に設置されたＴＶ共聴伝送路を介して伝送するＴＶ共聴伝送路インタフェース手段と、を有する子局と、
前記子局から伝送された防災情報に関する６４ＱＡＭ放送信号をバッファリングして、前記ダミービットを読み飛ばすことにより１６ＱＡＭ信号を抽出する専用受信装置と、
前記専用受信装置が抽出した前記１６ＱＡＭ信号を復号して、前記復号した信号を前記ＴＶ受信機に送出する信号復号装置と、
前記信号復号装置が復号した信号を受信して、前記防災情報を再生するＴＶ受信機と、
前記専用受信装置が抽出した１６ＱＡＭ信号を受信したことを確認すると、当該受信を通知する信号を送出する信号受信確認装置と、
前記信号受信確認装置からの通知を受けるとフラッシュライトを駆動するフラッシュライトと、
を備えたことを特徴とする防災情報配信システム。
【請求項１１】
無線で防災情報を配信する防災情報配信システムであって、
防災情報に関する信号を無線で送信する親局と、
前記親局から送信された防災情報に関する信号を、予め取り付けられたアンテナで受信する防災情報受信手段と、前記防災情報受信手段が受信して復号した１６ＱＡＭの信号をバッファリングし、各象限が４ビットの４象限から成る１６シンボルで構成される１６ＱＡＭ信号を生成した後、前記１６ＱＡＭ信号の各象限の１ビットにダミービットを付加して４ビットと読み替えることで、各象限が１６ビットの４象限から成る６４シンボルで構成される６４ＱＡＭ放送信号を構成し、家屋内に設置されたＴＶ共聴伝送路を介して伝送するＴＶ共聴伝送路インタフェース手段と、を有する子局と、
前記子局から伝送された防災情報に関する６４ＱＡＭ信号をバッファリングして、前記ダミービットを読み飛ばすことにより１６ＱＡＭ信号を抽出する専用受信装置と、
前記専用受信装置が抽出した前記１６ＱＡＭ信号を復号して、前記復号した信号を前記ＴＶ受信機に送出する信号復号装置と、
前記信号復号装置が復号した信号を受信して、前記防災情報を再生するＴＶ受信機と、
前記専用受信装置が抽出した前記１６ＱＡＭ信号を受信したことを確認すると、当該受信を通知する信号を送出する信号受信確認装置と、
前記信号受信確認装置からの通知を受け取るとリモコン用赤外線信号を発生させるリモコン用赤外線信号発生装置と、
を備えたことを特徴とする防災情報配信システム。
【請求項１２】
請求項１〜１１のいずれか一項記載の防災情報配信システムにおける前記子局を構成する防災情報中継装置。
【請求項１３】
請求項１〜１１のいずれか一項記載の防災情報配信システムにおける住宅内受信装置。
【発明の詳細な説明】
【０００１】
【発明の属する技術分野】
本発明は、デジタル化された同報無線親局からの防災情報を一括受信し、屋外等に設置された拡声装置若しくは一般の一個建て住宅または一般の集合住宅内の子局（テレビジョン受信装置等）に配信する防災情報配信システムに関する。
【０００２】
【従来の技術】
従来、市町村等に設置される防災情報配信システムは、例えば、災害時の避難指示等の音声情報である防災情報を、町役場等に設置された親局から、屋外等に設置された複数の拡声装置または複数の住宅（一般の住宅または集合住宅）内の子局（戸別受信機）に、デジタル同報通信手段を用いて無線で配信するものである。当該システムは、近年の大災害時においてその有効性が確認されているため、都市部においてもこのような無線によるデジタル同報通信手段を用いた防災情報配信システムの必要性が高まっている。
【０００３】
【発明が解決しようとする課題】
しかしながら、上記従来の防災情報配信システムにあっては無線で防災情報を配信しているが、特に都市部においては林立する高層ビルによる電波障害等により常に安定で有効な無線伝送路の確保が困難であるため、無線伝送路における電波伝搬の状況が悪化する可能性があるという問題点があった。
【０００４】
また、防災情報を受信する子局が屋外等に設置された拡声装置である場合、ビル等の建物の壁面によるエコーが発生するため、聴覚的に良好な状態で防災情報を伝えることができない恐れがあった。さらに、都市部における住居は開放的な田舎の住居に比べて密閉性が高いため、屋外等に設置された拡声装置からの防災情報が居室内の住人まで届かず、防災情報の伝達を徹底できない恐れがあった。
【０００５】
本発明は、上記従来の問題点または事情に鑑みてなされたものであって、無線で防災情報を配信する場合であっても、受信装置に安定かつ確実に配信することができる防災情報配信システムを提供することを目的としている。
【０００６】
【課題を解決するための手段】
上記目的を達成するために、本発明に係る防災情報配信システムは、無線で防災情報を配信する防災情報配信システムであって、防災情報に関する信号を無線で送信する親局と、前記親局から送信された防災情報に関する信号を、予め取り付けられたアンテナで受信する防災情報受信手段と、前記防災情報受信手段が受信した信号を、家屋内に設置された電力供給配線を介して伝送可能な周波数帯に周波数変換して、当該周波数変換された信号を前記電力供給配線を介して伝送する電力供給配線インタフェース手段と、を有する子局と、前記子局から伝送された防災情報に関する信号を、前記電力供給配線インタフェース手段によって周波数変換される前の信号に変換して、前記防災情報を拡声音声として再生する住宅内受信装置と、を備えている。
【０００７】
このように、子局によって受信された親局からの防災情報に関する送信信号は電力供給配線を介して住宅内受信装置に配信されるため、当該親局からの防災情報を住宅内受信装置による再生によって安定かつ確実に告知することができる。
【０００８】
また、本発明に係る防災情報配信システムは、無線で防災情報を配信する防災情報配信システムであって、防災情報に関する信号を無線で送信する親局と、前記親局から送信された防災情報に関する信号を、予め取り付けられたアンテナで受信する防災情報受信手段と、前記防災情報受信手段が受信した信号を復号して得られた情報をバッファリングして、当該情報にダミービットを付加した後、当該ダミービットが付加された情報を読み出しすることによって、家屋内に設置された電力供給配線を介して伝送可能なビットレートおよび周波数帯の信号に変換して、当該変換された信号を前記電力供給配線を介して伝送する電力供給配線インタフェース手段と、を有する子局と、前記子局から伝送された信号から前記ダミービットを削除した後、前記電力供給配線インタフェース手段によって変換される前の信号に変換して、前記防災情報を拡声音声として再生する住宅内受信装置と、を備えている。
【０００９】
このように、ダミービットが付加された情報を読み出しすることによってビットレートを上げることができるため、子局から住宅内受信装置への伝送速度を速くすることができる。
【００１０】
また、本発明に係る防災情報配信システムは、無線で防災情報を配信する防災情報配信システムであって、防災情報に関する信号を無線で送信する親局と、前記親局から送信された防災情報に関する信号を、予め取り付けられたアンテナで受信する防災情報受信手段と、前記防災情報受信手段が受信した信号を復号して得られた情報をバッファリングして、当該情報を時分割多重した上で電力供給配線に固有のタイムスロットを割り付けることによって速度変換した後、当該タイムスロットが割り付けられた信号を前記電力供給配線を介して伝送する電力供給配線インタフェース手段と、を有する子局と、前記子局から伝送された信号から所定のタイムスロットのみを抽出することによって、前記電力供給配線インタフェース手段によって速度変換される前の信号に変換して、前記防災情報を拡声音声として再生する住宅内受信装置と、備えている。
【００１１】
このように、子局から住宅内受信装置に伝送する信号には電力供給配線に固有のタイムスロットを割り付けられているため、当該電力供給配線での使用衝突を避けることができる。したがって、親局からの防災情報を確実に配信することができる。
【００１２】
また、本発明に係る防災情報配信システムは、無線で防災情報を配信する防災情報配信システムであって、防災情報に関する信号を無線で送信する親局と、前記親局から送信された防災情報に関する信号を、予め取り付けられたアンテナで受信する防災情報受信手段と、前記防災情報受信手段が受信した信号を復調して得られた信号に所定の重畳信号を重畳することにより、家屋内に設置された電力供給配線を介して伝送可能な周波数帯に周波数変換して、当該周波数変換された信号を前記電力供給配線を介して伝送する電力供給配線インタフェース手段と、を有する子局と、前記子局から伝送された防災情報に関する信号から前記所定の重畳信号を分離することによって前記電力供給配線インタフェース手段によって周波数変換される前の信号に変換して、前記防災情報を拡声音声として再生する住宅内受信装置と、を備えている。
【００１３】
このように、重畳信号を重畳することによって電力供給配線の伝送周波数を変えることができるため、子局から住宅内受信装置への伝送速度を上げることができる。
【００１４】
また、本発明に係る防災情報配信システムは、無線で防災情報を配信する防災情報配信システムであって、防災情報に関する信号を無線で送信する親局と、前記親局から送信された防災情報に関する信号を、予め取り付けられたアンテナで受信する防災情報受信手段と、前記防災情報受信手段が受信した信号を復調して得られた信号にＦＭ搬送周波数信号を重畳することにより、ＴＶ放送用の周波数帯のＦＭ信号に変換して、当該ＦＭ信号を家屋内に設置されたＴＶ共聴伝送路を介して伝送するＴＶ共聴伝送路インタフェース手段と、を有する子局と、前記子局から伝送された防災情報に関するＦＭ信号から前記ＦＭ搬送周波数信号を分離することによって前記ＴＶ共聴伝送路インタフェース手段によって変換される前の信号に変換して、前記防災情報を拡声音声として再生する住宅内受信装置と、を備えている。
【００１５】
このように、子局によって受信された親局からの防災情報に関する送信信号はＴＶ共聴伝送路を介して住宅内受信装置に配信されるため、当該親局からの防災情報を住宅内受信装置による再生によって安定かつ確実に告知することができる。
【００１６】
また、本発明に係る防災情報配信システムは、無線で防災情報を配信する防災情報配信システムであって、防災情報に関する信号を無線で送信する親局と、前記親局から送信された防災情報に関する信号を、予め取り付けられたアンテナで受信する防災情報受信手段と、前記防災情報受信手段が受信した信号を復調して得られた文字情報と音声情報を含む信号に搬送波を重畳することにより、ＴＶ放送用の周波数帯を有する信号に変換して、当該信号を家屋内に設置されたＴＶ共聴伝送路を介して伝送するＴＶ共聴伝送路インタフェース手段と、を有する子局と、前記子局から伝送された防災情報に関する信号から前記搬送波を分離することによって前記ＴＶ共聴伝送路インタフェース手段によって変換される前の信号に変換する住宅内受信装置と、前記住宅内受信装置によって変換された信号を復号して、当該復号した信号を前記ＴＶ受信機に送出する信号復号装置と、前記信号復号装置が復号した信号を受信して、前記防災情報を文字と音声とによって再生するＴＶ受信機と、を備えている。
【００１７】
このように、搬送波を重畳することによってＴＶ共聴伝送路の伝送周波数を変えることができるため、子局から住宅内受信装置への伝送速度を上げることができる。また、防災情報の再生にＴＶ受信機を用いているため、このための専用の装置を設ける必要がない。
【００１８】
また、本発明に係る防災情報配信システムは、無線で防災情報を配信する防災情報配信システムであって、防災情報に関する信号を無線で送信する親局と、前記親局から送信された防災情報に関する信号を、予め取り付けられたアンテナで受信する防災情報受信手段と、前記防災情報受信手段が受信した信号を復調して得られた文字情報と音声情報を含む信号に搬送波を重畳することにより、ＴＶ放送用の周波数帯を有する信号に変換して、当該信号を家屋内に設置されたＴＶ共聴伝送路を介して伝送するＴＶ共聴伝送路インタフェース手段と、を有する子局と、前記子局から伝送された防災情報に関する情報から前記搬送波を分離することによって前記ＴＶ共聴伝送路インタフェース手段によって変換される前の信号に変換する専用受信装置と、前記専用受信装置によって変換された信号を復号すると共に、前記復号した信号を前記ＴＶ受信機に送出する信号復号装置と、前記信号復号装置が復号した信号を受信して、前記防災情報を文字と音声とによって再生するＴＶ受信機と、前記専用受信装置によって変換された信号を受信したことを確認すると、当該受信を通知する信号を送出する信号受信確認装置と、前記信号受信確認装置からの通知を受けるとフラッシュライトを駆動するフラッシュライトと、を備えている。
【００１９】
このように、フラッシュライトによって防災情報の配信を通知することができるため、ＴＶ受信機の電源を入れていない者や災害弱者等にも防災情報の配信を確実に知らせることができる。また、防災情報の再生にＴＶ受信機を用いているため、このための専用の装置を設ける必要がない。
【００２０】
また、本発明に係る防災情報配信システムは、無線で防災情報を配信する防災情報配信システムであって、防災情報に関する信号を無線で送信する親局と、前記親局から送信された防災情報に関する信号を、予め取り付けられたアンテナで受信する防災情報受信手段と、前記防災情報受信手段が受信した信号をＴＶ放送用の周波数帯のＴＶ信号に変換した情報をバッファリングして、当該情報がトランスポートストリームの所定長バイトとなるようダミービットを付加した後、当該ダミービットが付加された情報を分割して、家屋内に設置されたＴＶ共聴伝送路を介して伝送するＴＶ共聴伝送路インタフェース手段と、を有する子局と、前記子局から伝送された防災情報に関する信号から受信した信号をバッファリングし、前記トランスポートストリームに合わせて逐次読み出すことにより、前記ＴＶ共聴伝送路インタフェース手段が変換した情報を抽出する専用受信装置と、前記専用受信装置が抽出した情報を復号して、当該復号した信号を前記ＴＶ受信機に送出する信号復号装置と、前記信号復号装置が復号した信号を受信して、前記防災情報を文字と音声とによって再生するＴＶ受信機と、前記専用受信装置が抽出した情報を受信したことを確認すると、当該受信を通知する信号を送出する信号受信確認装置と、前記信号受信確認装置からの通知を受け取るとリモコン用赤外線信号を発生させるリモコン用赤外線信号発生装置と、を備えている。
【００２１】
このように、防災情報の配信があると、リモコン用赤外線信号によってＴＶ受信機のチャネルが自動的に入り防災情報が再生されるため、ＴＶ受信機のチャネルをつけていない者や災害弱者等にも防災情報の配信を確実に知らせることができる。また、防災情報の再生にＴＶ受信機を用いているため、このための専用の装置を設ける必要がない。
【００２２】
また、本発明に係る防災情報配信システムは、無線で防災情報を配信する防災情報配信システムであって、防災情報に関する信号を無線で送信する親局と、前記親局から送信された防災情報に関する信号を、予め取り付けられたアンテナで受信する防災情報受信手段と、前記防災情報受信手段が受信して復号した１６ＱＡＭの信号をバッファリングし、各象限が４ビットの４象限から成る１６シンボルで構成される１６ＱＡＭ信号を生成した後、前記１６ＱＡＭ信号の各象限の１ビットにダミービットを付加して４ビットと読み替えることで、各象限が１６ビットの４象限から成る６４シンボルで構成される６４ＱＡＭ放送信号を構成し、家屋内に設置されたＴＶ共聴伝送路を介して伝送するＴＶ共聴伝送路インタフェース手段と、を有する子局と、前記子局から伝送された防災情報に関する６４ＱＡＭ放送信号をバッファリングして、前記ダミービットを読み飛ばすことにより１６ＱＡＭ信号を抽出する専用受信装置と、前記専用受信装置が抽出した前記１６ＱＡＭ信号を復号して、前記復号した信号を前記ＴＶ受信機に送出する信号復号装置と、前記信号復号装置が復号した信号を受信して、前記防災情報を再生するＴＶ受信機と、を備えている。
【００２３】
このように、子局から専用受信装置までの伝送をＱＡＭ信号で行っているため、子局から専用受信装置へのビットレートを上げることができる。また、防災情報の再生にＴＶ受信機を用いているため、このための専用の装置を設ける必要がない。
【００２４】
また、本発明に係る防災情報配信システムは、無線で防災情報を配信する防災情報配信システムであって、防災情報に関する信号を無線で送信する親局と、前記親局から送信された防災情報に関する信号を、予め取り付けられたアンテナで受信する防災情報受信手段と、前記防災情報受信手段が受信して復号した１６ＱＡＭの信号をバッファリングし、各象限が４ビットの４象限から成る１６シンボルで構成される１６ＱＡＭ信号を生成した後、前記１６ＱＡＭ信号の各象限の１ビットにダミービットを付加して４ビットと読み替えることで、各象限が１６ビットの４象限から成る６４シンボルで構成される６４ＱＡＭ放送信号を構成し、家屋内に設置されたＴＶ共聴伝送路を介して伝送するＴＶ共聴伝送路インタフェース手段と、を有する子局と、前記子局から伝送された防災情報に関する６４ＱＡＭ放送信号をバッファリングして、前記ダミービットを読み飛ばすことにより１６ＱＡＭ信号を抽出する専用受信装置と、前記専用受信装置が抽出した前記１６ＱＡＭ信号を復号して、前記復号した信号を前記ＴＶ受信機に送出する信号復号装置と、前記信号復号装置が復号した信号を受信して、前記防災情報を再生するＴＶ受信機と、前記専用受信装置が抽出した１６ＱＡＭ信号を受信したことを確認すると、当該受信を通知する信号を送出する信号受信確認装置と、前記信号受信確認装置からの通知を受けるとフラッシュライトを駆動するフラッシュライトと、を備えている。
【００２５】
このように、子局から専用受信装置までの伝送をＱＡＭ信号で行っているため、子局から専用受信装置へのビットレートを上げることができる。また、フラッシュライトによって防災情報の配信を通知することができるため、ＴＶ受信機の電源を入れていない者や災害弱者等にも防災情報の配信を確実に知らせることができる。さらに、防災情報の再生にＴＶ受信機を用いているため、このための専用の装置を設ける必要がない。
【００２６】
また、本発明に係る防災情報配信システムは、無線で防災情報を配信する防災情報配信システムであって、防災情報に関する信号を無線で送信する親局と、前記親局から送信された防災情報に関する信号を、予め取り付けられたアンテナで受信する防災情報受信手段と、前記防災情報受信手段が受信して復号した１６ＱＡＭの信号をバッファリングし、各象限が４ビットの４象限から成る１６シンボルで構成される１６ＱＡＭ信号を生成した後、前記１６ＱＡＭ信号の各象限の１ビットにダミービットを付加して４ビットと読み替えることで、各象限が１６ビットの４象限から成る６４シンボルで構成される６４ＱＡＭ放送信号を構成し、家屋内に設置されたＴＶ共聴伝送路を介して伝送するＴＶ共聴伝送路インタフェース手段と、を有する子局と、前記子局から伝送された防災情報に関する６４ＱＡＭ信号をバッファリングして、前記ダミービットを読み飛ばすことにより１６ＱＡＭ信号を抽出する専用受信装置と、前記専用受信装置が抽出した前記１６ＱＡＭ信号を復号して、前記復号した信号を前記ＴＶ受信機に送出する信号復号装置と、前記信号復号装置が復号した信号を受信して、前記防災情報を再生するＴＶ受信機と、前記専用受信装置が抽出した前記１６ＱＡＭ信号を受信したことを確認すると、当該受信を通知する信号を送出する信号受信確認装置と、前記信号受信確認装置からの通知を受け取るとリモコン用赤外線信号を発生させるリモコン用赤外線信号発生装置と、を備えている。
【００２７】
このように、子局から専用受信装置までの伝送をＱＡＭ信号で行っているため、子局から専用受信装置へのビットレートを上げることができる。また、防災情報の配信があると、リモコン用赤外線信号によってＴＶ受信機の電源が自動的に入り防災情報が再生されるため、ＴＶ受信機の電源を入れていない者や災害弱者等にも防災情報の配信を確実に知らせることができる。さらに、防災情報の再生にＴＶ受信機を用いているため、このための専用の装置を設ける必要がない。
【００２８】
また、本発明に係る防災情報中継装置は、請求項１〜１１のいずれか一項記載の防災情報配信システムにおける前記子局を構成している。
【００２９】
さらに、本発明に係る住宅内受信装置は、請求項１〜１１のいずれか一項記載の受信装置である。
【００３０】
【発明の実施の形態】
以下、本発明に係る防災情報配信システムの実施の形態について、図面を参照して詳細に説明する。
【００３１】
〔第１の実施形態〕
図１は、本発明に係る第１の実施形態の防災情報配信システムを示す構成図である。
図１に示すように、第１の実施形態の防災情報配信システムは、防災情報を一括して送信する親局１１０と、親局１１０から送信される防災情報を無線伝送路（無線回線）を介して受信する一般の住宅（以下「一般住宅」という。）に設置された戸別受信機２１０と、集合住宅に設置された戸別受信機２１１と、電力供給配線２１３とのインタフェースを有する電力供給配線インタフェース２１２と、電力を供給すると共に電力供給配線インタフェース２１２の出力信号を住宅内に配信する電力供給配線２１３と、各住戸の住宅内に設置された住宅内受信装置２１４，２１５，２１６とを備えて構成されている。
【００３２】
なお、戸別受信機２１１用のアンテナは、安定かつ確実な受信を行うために電波障害や干渉を受けない位置と方向を選んで設置される。また、戸別受信機２１１用のアンテナは、テレビジョン放送用の既設の共聴アンテナを流用しても良い。
【００３３】
また、戸別受信機２１１は特許請求の範囲の防災情報受信手段に該当し、電力供給配線インタフェース２１２は電力供給配線インタフェース手段に該当し、戸別受信機２１１と電力供給配線インタフェース２１２とから構成される装置が特許請求の範囲の子局に該当する。
【００３４】
以下、本実施形態の防災情報配信システムの動作について説明する。
親局１１０は、災害発生時などに、防災情報を例えば４５ｋｂｐｓのビットレートでデジタル同報無線通信手段を用いて無線伝送路に送信する。一般住宅に設置された複数の戸別受信機２１０は、無線伝送路を介して親局１１０から送信された防災情報を受信した後、当該防災情報を電力供給配線インタフェース２１２に送出する。
【００３５】
電力供給配線インタフェース２１２は、周波数コンバータ（図示せず）を有しており、戸別受信機２１１で受信されたデジタル同報無線の６０ＭＨｚ帯の４５ｋｂｐｓの信号を中心周波数が２ＭＨｚ〜３０ＭＨｚの４５ｋｂｐｓの信号に周波数変換した後、電力供給配線２１３を介して住宅内受信装置２１４〜２１６に伝送する。なお、中心周波数が２ＭＨｚ〜３０ＭＨｚの搬送波としての信号は、電力供給配線２１３で伝送可能な信号である。
【００３６】
住宅内受信装置２１４〜２１６の各々は、電力供給配線２１３を介して受信した２ＭＨｚ〜３０ＭＨｚの４５ｋｂｐｓの信号を６０ＭＨｚ帯の４５ｋｂｐｓの信号に周波数変換した後、拡声音声信号として再生する。
【００３７】
図２は、本発明に係る第１の実施形態の防災情報配信システムの信号の流れを示す説明図である。入力信号３１１は、戸別受信機２１１から電力供給配線インタフェース２１２に送出される信号である。その中心周波数は５４ＭＨｚ〜６６ＭＨｚの範囲に入る６０ＭＨｚ帯であり、かつ信号帯域幅は１５ｋＨｚ、信号速度は４５ｋｂｐｓである。
【００３８】
搬送信号３１３は、電力供給配線インタフェース２１２から電力供給配線２１３を介して住宅内受信装置２１４〜２１６の各々に伝送される信号であり、電力供給配線インタフェース２１２において、入力信号３１１の搬送波から、搬送信号との差分信号３１２が混変調されることによって生成された信号である。搬送信号との差分信号３１２は３５ＭＨｚの信号であり、当該信号は入力信号３１１の搬送信号から差し引かれた分の信号である。住宅内受信装置２１４〜２１６の各々においては、上記の搬送信号３１３と、搬送信号との差分信号３１２とを合成することにより、入力信号３１１を再現している。
【００３９】
以上説明したように、本実施形態の防災情報配信システムによれば、戸別受信機２１１によって受信された親局１１０からの防災情報に関する送信信号は電力供給配線２１３を介して住宅内受信装置２１４〜２１６に配信されるため、親局１１０からの防災情報を住宅内受信装置２１４〜２１６による再生によって安定かつ確実に告知することができる。
【００４０】
〔第２の実施形態〕
図３は、本発明に係る第２の実施形態の防災情報配信システムを示す構成図である。
図３に示すように、第２の実施形態の防災情報配信システムは、防災情報を一括して送信する親局１１０と、親局１１０から送信される防災情報を無線伝送路（無線回線）を介して受信する一般住宅に設置された戸別受信機２１０および集合住宅に設置された子局としての戸別受信機２２１と、後述する電力供給配線２１３とのインタフェースを有する電力供給配線インタフェース２２２と、電力を供給すると共に電力供給配線インタフェース２２２の出力信号を住宅内に配信する電力供給配線２１３と、各住戸の住宅内に設置された住宅内受信装置２２４，２２５，２２６とを備えて構成されている。
【００４１】
なお、戸別受信機２２１は、複数の集合住宅の各々に設置された子局であり、親局１１０から無線伝送路を介して送信された防災情報を安定かつ確実に受信し、電力供給配線インタフェース２２２に送出する。また、戸別受信機２２１用のアンテナは、安定かつ確実な受信を行うために電波障害や干渉を受けない位置と方向を選んで設置される。また、戸別受信機２２１用のアンテナは、テレビジョン放送用の既設の共聴アンテナを流用しても良い。
【００４２】
また、戸別受信機２２１は特許請求の範囲の防災情報受信手段に該当し、電力供給配線インタフェース２２２は電力供給配線インタフェース手段に該当し、戸別受信機２２１と電力供給配線インタフェース２２２とから構成される装置が特許請求の範囲の子局に該当する。
【００４３】
以下、本実施形態の防災情報配信システムの動作について説明する。
親局１１０は、災害発生時等に、防災情報を例えば４５ｋｂｐｓのビットレートでデジタル同報無線通信手段を用いて無線伝送路に送信する。一般住宅に設置された複数の戸別受信機２１０は、無線伝送路を介して親局１１０から送信された防災情報を従来と同様に受信する。
【００４４】
電力供給配線インタフェース２２２は、一次記憶手段（図示せず）を有しており、戸別受信機２１１で受信されたデジタル同報無線の６０ＭＨｚ帯の４５ｋｂｐｓの信号を復号して一次記憶手段に一次記憶する。そして、未使用分にダミービットを付加し、これを高速で読み出すことにより伝送速度が１０Ｍｂｐｓ、中心周波数が２ＭＨｚ〜３０ＭＨｚ帯の信号に変換して、電力供給配線２１３を介して住宅内受信装置２２４〜２２６に伝送する。なお、伝送速度が１０Ｍｂｐｓ、搬送中心周波数が２ＭＨｚ〜３０ＭＨｚ帯の信号は、電力供給配線２１３で伝送可能な信号である。
【００４５】
住宅内受信装置２２４〜２２６の各々は、一次記憶手段（図示せず）を有しており、電力供給配線２１３を介して受信した信号を次記憶装置に一次記憶して速度変換し、付加したダミービットを削除することにより元の信号に復元し、拡声音声信号として再生する。
【００４６】
図４は、本発明に係る第２の実施形態の防災情報配信システムの信号の流れを示す説明図である。復号化した４５ｋｂｐｓの信号３２１は、戸別受信機２２１から電力供給配線インタフェース２２２に送出される信号である。また、搬送信号３２３は、電力供給配線インタフェース２２２から電力供給配線２１３を介して住宅内受信装置２２４〜２２６の各々に伝送される信号であり、復号化した４５ｋｂｐｓの信号３２１に対して、後述するダミー信号３２２が付加された信号である。この信号は、伝送速度が１０Ｍｂｐｓ、搬送中心周波数が２ＭＨｚ〜３０ＭＨｚ帯の信号である。
【００４７】
また、ダミー信号３２２は、電力供給配線２１３による伝送に先立って、電力供給配線インタフェース２２２により搬送信号３２３に付加される信号であり、また、電力供給配線２１３による伝送後に、住宅内受信装置２２４〜２２６の各々によって搬送信号３２３から除去される信号である。住宅内受信装置２２４〜２２６の各々においては、搬送信号３２３からダミー信号３２２を除去することにより、元の復号化した４５ｋｂｐｓの信号３２１に復元し、拡声音声信号として再生する。
【００４８】
以上説明したように、本実施形態の防災情報配信システムによれば、ダミービットが付加された情報を高速読み出しすることによってビットレートを上げることができるため、電力供給配線インタフェース２２２から住宅内受信装置２２４〜２２６への伝送速度を速くすることができる。
【００４９】
〔第３の実施形態〕
図５は、本発明に係る第３の実施形態の防災情報配信システムを示す構成図である。
図５に示すように、第３の実施形態の防災情報配信システムは、防災情報を一括して送信する親局１１０と、親局１１０から送信される防災情報を無線伝送路（無線回線）を介して受信する一般住宅に設置された戸別受信機２１０および集合住宅に設置された子局としての戸別受信機２３１と、後述する電力供給配線２１３とのインタフェースを有する電力供給配線インタフェース２３２と、電力を供給すると共に電力供給配線インタフェース２３２の出力信号を住宅内に配信する電力供給配線２１３と、各住戸の住宅内に設置された住宅内受信装置２３４，２３５，２３６とを備えて構成されている。
【００５０】
なお、戸別受信機２３１は、複数の集合住宅の各々に設置された子局であり、親局１１０から無線伝送路を介して送信された防災情報を安定かつ確実に受信し、電力供給配線インタフェース２３２に送出する。また、戸別受信機２３１用のアンテナは、安定かつ確実な受信を行うために電波障害や干渉を受けない位置と方向を選んで設置される。また、戸別受信機２３１用のアンテナは、テレビジョン放送用の既設の共聴アンテナを流用しても良い。
【００５１】
また、戸別受信機２３１は特許請求の範囲の防災情報受信手段に該当し、電力供給配線インタフェース２３２は電力供給配線インタフェース手段に該当し、戸別受信機２３１と電力供給配線インタフェース２３２とから構成される装置が特許請求の範囲の子局に該当する。
【００５２】
以下、本実施形態の防災情報配信システムの動作について説明する。
親局１１０は、災害発生時等に、防災情報を例えば４５ｋｂｐｓのビットレートでデジタル同報無線通信手段を用いて無線伝送路に送信する。一般住宅に設置された複数の戸別受信機２１０は、無線伝送路を介して親局１１０から送信された防災情報を従来と同様に受信する。
【００５３】
電力供給配線インタフェース２３２は、戸別受信機２３１で受信され復号化された４５ｋｂｐｓの信号を時分割多重し、４５ｋｂｐｓ相当のタイムスロットを割りつけて、電力供給配線２１３を介して住宅内受信装置２３４〜２３６に伝送する。住宅内受信装置２３４〜２３６の各々は、電力供給配線２１３を介して受信した信号から所定のタイムスロットのみを抽出して、再び元の４５ｋｂｐｓの信号に速度変換し、拡声音声信号として再生する。
【００５４】
図６は、本発明に係る第３の実施形態の防災情報配信システムの信号の流れを示す説明図である。復号化した４５ｋｂｐｓの信号３３１は、戸別受信機２３１から電力供給配線インタフェース２３２に送出される４５ｋｂｐｓの信号である。また、信号３３２は、電力供給配線インタフェース２３２から電力供給配線２１３を介して住宅内受信装置２３４〜２３６の各々に伝送される信号であり、電力供給配線インタフェース２３２において、前述の復号化した４５ｋｂｐｓの信号３３１を一時バッファリングして１０Ｍｂｐｓで高速で読み出した信号である。
【００５５】
なお、信号３３２の電力供給配線２１３への送出に際しては、ＣＳＭＡ／ＣＤ（衝突検出付きキャリア検出）手順が使用される。また、住宅内受信装置２３４〜２３６の各々においては、上記の信号３３２を一時バッファリングして低速で読み出すことにより、入力信号３１１を再現している。
【００５６】
以上説明したように、本実施形態の防災情報配信システムによれば、電力供給配線インタフェース２３２から住宅内受信装置２３４〜２３６に伝送する信号には電力供給配線２１３に固有のタイムスロットを割り付けられているため、電力供給配線２１３での使用衝突を避けることができる。したがって、親局１１０からの防災情報を確実に配信することができる。
【００５７】
〔第４の実施形態〕
図７は、本発明に係る第４の実施形態の防災情報配信システムを示す構成図である。
図７に示すように、第４の実施形態の防災情報配信システムは、防災情報を一括して送信する親局１１０と、親局１１０から送信される防災情報を無線伝送路（無線回線）を介して受信する一般住宅に設置された戸別受信機２１０および集合住宅に設置された子局としての戸別受信機２４１と、後述する電力供給配線２１３とのインタフェースを有する電力供給配線インタフェース２４２と、電力を供給すると共に電力供給配線インタフェース２４２の出力信号を住宅内に配信する電力供給配線２１３と、各住戸の住宅内に設置された住宅内受信装置２４４，２４５，２４６とを備えて構成されている。
【００５８】
なお、戸別受信機２４１用のアンテナは、安定かつ確実な受信を行うために電波障害や干渉を受けない位置と方向を選んで設置される。また、戸別受信機２４１用のアンテナは、テレビジョン放送用の既設の共聴アンテナを流用しても良い。
【００５９】
また、戸別受信機２４１は特許請求の範囲の防災情報受信手段に該当し、電力供給配線インタフェース２４２は電力供給配線インタフェース手段に該当し、戸別受信機２４１と電力供給配線インタフェース２４２とから構成される装置が特許請求の範囲の子局に該当する。
【００６０】
以下、本実施形態の防災情報配信システムの動作について説明する。
親局１１０は、災害発生時等に、防災情報を例えば４５ｋｂｐｓのビットレートでデジタル同報無線通信手段を用いて無線伝送路に送信する。一般住宅に設置された複数の戸別受信機２１０は、親局１１０から無線伝送路を介して送信された防災情報を従来と同様に受信する。戸別受信機２４１は、複数の集合住宅の各々に設置された子局であり、親局１１０から無線伝送路を介して送信された防災情報を安定かつ確実に受信し、３００Ｈｚ〜３ｋＨｚ程度の音声情報に復調して電力供給配線インタフェース２４２に送出する。
【００６１】
電力供給配線インタフェース２４２は、戸別受信機２４１で受信され復調された３００Ｈｚ〜３ｋＨｚ程度の音声情報に７ｋＨｚ程度の搬送信号をミキシング手段により重畳することにより１０ｋＨｚ程度の信号とし、電力供給配線２１３を介して住宅内受信装置２４４〜２４６に伝送する。ちなみに、この１０ｋＨｚ程度の信号は、電力供給配線２１３で十分に伝送することが可能な信号である。住宅内受信装置２４４〜２４６の各々は、電力供給配線２１３を介して受信した１０ｋＨｚ程度の信号から重畳信号を分離することで原音（前述の３００Ｈｚ〜３ｋＨｚ程度の音声情報）を復元し、拡声音声信号として再生する。
【００６２】
図８は、本発明に係る第４の実施形態の防災情報配信システムの信号の流れを示す説明図である。復調された信号３４１は、戸別受信機２４１から電力供給配線インタフェース２４２に送出される信号（３００Ｈｚ〜３ｋＨｚ程度の音声情報）である。また、信号３４３は、電力供給配線インタフェース２４２から、電力供給配線２１３を介して住宅内受信装置２４４〜２４６の各々に伝送される１０ｋＨｚ程度の信号である。この信号は、戸別受信機２４１から電力供給配線インタフェース２４２に送出された信号に７ｋＨｚ程度の重畳信号３４２をミキシング手段で重畳することにより生成される。
【００６３】
住宅内受信装置２４４〜２４６の各々においては、上記の信号３４３から周波数が７ｋＨｚの重畳信号３４２を分離することで、原音（前述の３００Ｈｚ〜３ｋＨｚ程度の音声情報）を再現する。
【００６４】
以上説明したように、本実施形態の防災情報配信システムによれば、重畳信号を重畳することによって電力供給配線２１３の伝送周波数を変えることができるため、電力供給配線インタフェース２４２から住宅内受信装置２４４〜２４６への伝送速度を上げることができる。
【００６５】
〔第５の実施形態〕
図９は、本発明に係る第５の実施形態の防災情報配信システムを示す構成図である。
図９に示すように、第５の実施形態の防災情報配信システムは、防災情報を一括して送信する親局１１０と、親局１１０から送信される防災情報を無線伝送路（無線回線）を介して受信する一般住宅に設置された戸別受信機２１０および集合住宅に設置された子局としての戸別受信機２５１と、後述するＴＶ（テレビジョン放送）共聴伝送路２５３とのインタフェースを有するＴＶ共聴伝送路インタフェース２５２と、ＴＶ信号を供給すると共にＴＶ共聴伝送路インタフェース２５２の出力信号を住宅内に配信するＴＶ共聴伝送路２５３と、各住戸の住宅内に設置された住宅内受信装置２５４，２５５，２５６とを備えて構成されている。
【００６６】
なお、戸別受信機２５１用のアンテナは、安定かつ確実な受信を行うために電波障害や干渉を受けない位置と方向を選んで設置される。また、戸別受信機２５１用のアンテナは、テレビジョン放送用の既設の共聴アンテナを流用しても良い。
【００６７】
また、戸別受信機２５１は特許請求の範囲の防災情報受信手段に該当し、ＴＶ共聴伝送路インタフェース２５２はＴＶ共聴伝送路インタフェース手段に該当し、戸別受信機２５１とＴＶ共聴伝送路インタフェース２５２とから構成される装置が特許請求の範囲の子局に該当する。
【００６８】
以下、本実施形態の防災情報配信システムの動作について説明する。
親局１１０は、災害発生時等に、防災情報を例えば４５ｋｂｐｓのビットレートでデジタル同報無線通信手段を用いて無線伝送路に送信する。一般住宅に設置された複数の戸別受信機２１０は、親局１１０から無線伝送路を介して送信された防災情報を従来と同様に受信する。戸別受信機２５１は、複数の集合住宅の各々に設置された子局であり、親局１１０から無線伝送路を介して送信された防災情報を安定かつ確実に受信し、かつアナログの音声情報に復調してＴＶ共聴伝送路インタフェース２５２に送出する。
【００６９】
ＴＶ共聴伝送路インタフェース２５２は、戸別受信機２５１で受信され復調されたアナログの音声情報にＦＭ搬送周波数信号を重畳することにより、アナログＴＶ送信用の地上波と同じＶＨＦ周波数帯のＦＭ信号に変換し、ＴＶ共聴伝送路２５３を介して住宅内受信装置２５４〜２５６に伝送する。なお、このアナログＴＶ送信用の地上波と同じＶＨＦ周波数帯のＦＭ信号は、ＴＶ共聴伝送路２５３で伝送することが可能な信号である。住宅内受信装置２５４〜２５６の各々は、ＴＶ共聴伝送路２５３を介して受信したＦＭ信号から重畳信号を分離することで原音（前述のアナログの音声信号）を復元し、拡声音声信号として再生する。
【００７０】
図１０は、本発明に係る第５の実施形態の防災情報配信システムの信号の流れを示す説明図である。復調された信号３５１は、戸別受信機２５１からＴＶ共聴伝送路インタフェース２５２に送出される信号（前述のアナログの音声信号）である。また、信号３５３は、ＴＶ共聴伝送路インタフェース２５２から、ＴＶ共聴伝送路２５３を介して住宅内受信装置２５４〜２５６の各々に伝送されるＶＨＦ周波数帯のＦＭ信号である。このＦＭ信号は、戸別受信機２５１からＴＶ共聴伝送路インタフェース２５２に送出されたアナログの音声信号にアナログＴＶ送信用の地上波と同じＶＨＦ周波数帯のＦＭ信号であるＦＭ搬送周波数信号３５２を重畳することにより生成される。
【００７１】
住宅内受信装置２５４〜２５６の各々においては、上記の信号３５３からＦＭ搬送周波数信号３５２を分離することで、原音（前述の３００Ｈｚ〜３ｋＨｚ程度の音声情報）の信号３５１を再現する。
【００７２】
以上説明したように、本実施形態の防災情報配信システムによれば、戸別受信機２５１によって受信された親局１１０からの防災情報に関する送信信号はＴＶ共聴伝送路２５３を介して住宅内受信装置２５４〜２５６に配信されるため、親局１１０からの防災情報を住宅内受信装置２５４〜２５６による再生によって安定かつ確実に告知することができる。
【００７３】
〔第６の実施形態〕
図１１は、本発明に係る第６の実施形態の防災情報配信システムを示す構成図である。
図１１に示すように、第６の実施形態の防災情報配信システムは、防災情報を一括して送信する親局１１０と、親局１１０から送信される防災情報を無線伝送路（無線回線）を介して受信する一般住宅に設置された戸別受信機２１０および集合住宅に設置された子局としての戸別受信機２６１と、後述するＴＶ（テレビジョン放送）共聴伝送路２５３とのインタフェースを有するＴＶ共聴伝送路インタフェース２６２と、ＴＶ信号を供給すると共にＴＶ共聴伝送路インタフェース２６２の出力信号を住宅内に配信するＴＶ共聴伝送路２５３と、各住戸の住宅内に設置された住宅内受信装置２６４，２６５，２６６と、住宅内受信装置２６４〜２６６の各々に接続される信号復号装置２６７および公知のＴＶ受信機２６８とを備えて構成されている。
【００７４】
なお、戸別受信機２６１用のアンテナは、安定かつ確実な受信を行うために電波障害や干渉を受けない位置と方向を選んで設置される。また、戸別受信機２６１用のアンテナは、テレビジョン放送用の既設の共聴アンテナを流用しても良い。
【００７５】
また、戸別受信機２６１は特許請求の範囲の防災情報受信手段に該当し、ＴＶ共聴伝送路インタフェース２６２はＴＶ共聴伝送路インタフェース手段に該当し、戸別受信機２６１とＴＶ共聴伝送路インタフェース２６２とから構成される装置が特許請求の範囲の子局に該当する。
【００７６】
以下、本実施形態の防災情報配信システムの動作について説明する。
親局１１０は、災害発生時等に、防災情報を例えば４５ｋｂｐｓのビットレートでデジタル同報無線通信手段を用いて無線伝送路に送信する。一般住宅に設置された複数の戸別受信機２１０は、親局１１０から上記無線伝送路を介して送信された防災情報を従来と同様に受信する。戸別受信機２６１は、複数の集合住宅の各々に設置された子局であり、親局１１０から無線伝送路を介して送信された防災情報を安定かつ確実に受信し、かつアナログ信号に復調してＴＶ共聴伝送路インタフェース２６２に送出する。
【００７７】
ＴＶ共聴伝送路インタフェース２６２は、戸別受信機２６１で受信され復調されたアナログ信号を文字情報および音声情報のフォーマットに変換し、さらに、このアナログ文字音声情報にＦＭ搬送周波数信号（搬送波）を重畳することにより、アナログＴＶ送信用の地上波と同じＶＨＦ周波数帯のＦＭ信号に変換し、ＴＶ共聴伝送路２５３を介して住宅内受信装置２６４〜２６６に伝送する。なお、このアナログＴＶ送信用の地上波と同じＶＨＦ周波数帯のＦＭ信号は、ＴＶ共聴伝送路２５３で伝送することが可能な信号である。住宅内受信装置２６４〜２６６の各々は、ＴＶ共聴伝送路２５３を介して受信したＦＭ信号から重畳信号を分離することで前述のアナログ文字音声信号を復元し、信号復号装置２６７で復号して公知のＴＶ受信機２６８で再生する。
【００７８】
図１２は、本発明に係る第６の実施形態の防災情報配信システムの信号の流れを示す説明図である。復調された信号３６１は、戸別受信機２６１からＴＶ共聴伝送路インタフェース２６２に送出される信号（前述のアナログ信号）である。また、アナログ文字音声情報信号３６２は、ＴＶ共聴伝送路インタフェース２６２において、上記アナログ信号から前述のフォーマット変換がなされた信号である。
【００７９】
また、信号３６４は、ＴＶ共聴伝送路インタフェース２６２から、ＴＶ共聴伝送路２５３を介して住宅内受信装置２６４〜２６６の各々に伝送されるＶＨＦ周波数帯のＦＭ信号である。このＦＭ信号は、前述のアナログ文字音声情報信号３６２にアナログＴＶ送信用の地上波と同じＶＨＦ周波数帯のＦＭ信号である搬送波３６３を重畳することにより生成される。
【００８０】
住宅内受信装置２６４〜２６６の各々においては、上記の信号３６４から搬送波３６３を分離することで元のアナログ文字音声情報信号３６２を再現し、これをさらに住宅内受信装置２６４〜２６６の各々に接続された信号復号装置２６７に送出して復号し、各々の公知のＴＶ受信機２６８で主として文字情報を再生する。
【００８１】
以上説明したように、本実施形態の防災情報配信システムによれば、搬送波を重畳することによってＴＶ共聴伝送路２５３の伝送周波数を変えることができるため、ＴＶ共聴伝送路インタフェース２６２から住宅内受信装置２６４〜２６６への伝送速度を上げることができる。また、防災情報の再生にＴＶ受信機２６８を用いているため、このための専用の装置を設ける必要がない。
【００８２】
〔第７の実施形態〕
図１３は、本発明に係る第７の実施形態の防災情報配信システムを示す構成図である。
図１３に示すように、第７の実施形態の防災情報配信システムは、防災情報を一括して送信する親局１１０と、親局１１０から送信される防災情報を無線伝送路（無線回線）を介して受信する一般住宅に設置された戸別受信機２１０および集合住宅に設置された子局としての戸別受信機２７１と、後述するＴＶ（テレビジョン放送）共聴伝送路２５３とのインタフェースを有するＴＶ共聴伝送路インタフェース２７２と、ＴＶ信号を供給すると共にＴＶ共聴伝送路インタフェース２７２の出力信号を住宅内に配信するＴＶ共聴伝送路２５３と、ＴＶ共聴伝送路２５３に接続された専用受信装置２７４と、専用受信装置２７４に接続された信号復号装置２６７および信号受信確認装置２７７と、信号復号装置２６７に接続された公知のＴＶ受信機２６８と、信号受信確認装置２７７に接続されたフラッシュライト２７８とを備えて構成されている。
【００８３】
戸別受信機２７１用のアンテナは、安定かつ確実な受信を行うために電波障害や干渉を受けない位置と方向を選んで設置される。また、戸別受信機２７１用のアンテナは、テレビジョン放送用の既設の共聴アンテナを流用しても良い。
【００８４】
また、戸別受信機２７１は特許請求の範囲の防災情報受信手段に該当し、ＴＶ共聴伝送路インタフェース２７２はＴＶ共聴伝送路インタフェース手段に該当し、戸別受信機２７１とＴＶ共聴伝送路インタフェース２７２とから構成される装置が特許請求の範囲の子局に該当する。
【００８５】
以下、本実施形態の防災情報配信システムの動作について説明する。
親局１１０は、災害発生時等に、防災情報を例えば４５ｋｂｐｓのビットレートでデジタル同報無線通信手段を用いて無線伝送路に送信する。一般住宅に設置された複数の戸別受信機２１０は、親局１１０から無線伝送路を介して送信された防災情報を従来と同様に受信する。戸別受信機２７１は、複数の集合住宅の各々に設置された子局であり、親局１１０から無線伝送路を介して送信された防災情報を安定かつ確実に受信し、かつアナログ信号に復調してＴＶ共聴伝送路インタフェース２７２に送出する。
【００８６】
ＴＶ共聴伝送路インタフェース２７２は、戸別受信機２７１で受信され復調されたアナログ信号をアナログ文字音声情報のフォーマットに変換し、さらに、このアナログ文字音声情報にＦＭ搬送周波数信号を重畳することにより、アナログＴＶ送信用の地上波と同じＶＨＦ周波数帯のＦＭ信号に変換し、ＴＶ共聴伝送路２５３を介して専用受信装置２７４に伝送する。なお、このアナログＴＶ送信用の地上波と同じＶＨＦ周波数帯のＦＭ信号は、ＴＶ共聴伝送路２５３で伝送することが可能な信号である。
【００８７】
専用受信装置２７４は、ＴＶ共聴伝送路２５３を介して受信したＦＭ信号から重畳信号を分離することで前述のアナログ文字音声信号を復元し、信号復号装置２６７で復号して公知のＴＶ受信機２６８で再生する。また、このとき、信号受信確認装置２７７が前述の同報無線信号の受信を確認すると、フラッシュライト２７８に告知情報を通知する。フラッシュライト２７８は、この告知情報を受けてフラッシュライト駆動信号を生成し、前述の同報無線信号の受信を確実に通知する。
【００８８】
図１４は、本発明に係る第７の実施形態の防災情報配信システムの信号の流れを示す説明図である。親局１１０から専用受信装置２７４、専用受信装置２７４から公知のＴＶ受信機２６８に至るまでの信号の流れは、第６の実施形態における親局１１０から住宅内受信装置２６４、住宅内受信装置２６４から公知のＴＶ受信機２６８に至るまでの信号の流れと同じである。以下、専用受信装置２７４から信号受信確認装置２７７を介してフラッシュライト２７８に至り、さらにフラッシュライト２７８から出力される信号の流れを説明する。
【００８９】
信号受信確認装置２７７が、信号受信確認装置２７７への信号３７１を専用受信装置２７４から受信すると、告知情報受信を示す信号３７２を生成してフラッシュライト２７８に送出する。フラッシュライト２７８は、この告知情報受信を示す信号３７２の受信により、フラッシュライト駆動信号３７３を発生してフラッシュライト（図示せず）を駆動する。
【００９０】
以上説明したように、本実施形態の防災情報配信システムによれば、フラッシュライトによって防災情報の配信を通知することができるため、ＴＶ受信機２６８の電源を入れていない者や災害弱者等にも防災情報の配信を確実に知らせることができる。また、防災情報の再生にＴＶ受信機２６８を用いているため、このための専用の装置を設ける必要がない。
【００９１】
〔第８の実施形態〕
図１５は、本発明に係る第８の実施形態の防災情報配信システムを示す構成図である。
図１５に示すように、第８の実施形態の防災情報配信システムは、防災情報を一括して送信する親局１１０と、親局１１０から送信される防災情報を無線伝送路（無線回線）を介して受信する一般住宅に設置された戸別受信機２１０および集合住宅に設置された子局としての戸別受信機２８１と、後述するＴＶ（テレビジョン放送）共聴伝送路２５３とのインタフェースを有するＴＶ共聴伝送路インタフェース２８２と、ＴＶ信号を供給すると共にＴＶ共聴伝送路インタフェース２８２の出力信号を住宅内に配信するＴＶ共聴伝送路２５３と、ＴＶ共聴伝送路２５３に接続された専用受信装置２８４と、専用受信装置２８４に接続された信号復号装置２６７および信号受信確認装置２８７と、信号復号装置２６７に接続された公知のＴＶ受信機２６８と、信号受信確認装置２８７に接続されたリモコン用赤外線信号発生装置２８８とを備えて構成されている。
【００９２】
なお、戸別受信機２８１用のアンテナは、安定かつ確実な受信を行うために電波障害や干渉を受けない位置と方向を選んで設置される。また、戸別受信機２８１用のアンテナは、テレビジョン放送用の既設の共聴アンテナを流用しても良い。
【００９３】
また、戸別受信機２８１は特許請求の範囲の防災情報受信手段に該当し、ＴＶ共聴伝送路インタフェース２８２はＴＶ共聴伝送路インタフェース手段に該当し、戸別受信機２８１とＴＶ共聴伝送路インタフェース２８２とから構成される装置が特許請求の範囲の子局に該当する。
【００９４】
以下、本実施形態の防災情報配信システムの動作について説明する。
親局１１０は、災害発生時等に、防災情報を例えば４５ｋｂｐｓのビットレートでデジタル同報無線通信手段を用いて無線伝送路に送信する。一般住宅に設置された複数の戸別受信機２１０は、親局１１０から上記無線伝送路を介して送信された防災情報を従来と同様に受信する。戸別受信機２８１は、複数の集合住宅の各々に設置された子局であり、親局１１０から無線伝送路を介して送信された防災情報を安定かつ確実に受信し、かつアナログ信号に復調してＴＶ共聴伝送路インタフェース２８２に送出する。
【００９５】
ＴＶ共聴伝送路インタフェース２８２は、戸別受信機２８１で受信され復調された４５ｋｂｐｓのアナログ信号をアナログ文字音声情報のフォーマットに変換し、さらに、このアナログ文字音声情報を一時バッファリングすることにより、例えば、デジタル放送のＴＳ（トランスポートストリーム）の所定長１８８バイトとなるようにダミービットを付加して構成した信号を、ＴＶ共聴伝送路２５３を介して専用受信装置２８４に伝送する。なお、この所定長１８８バイトのデジタル放送のＴＳを構成する信号は、ＴＶ共聴伝送路２５３で伝送することが可能な信号である。
【００９６】
専用受信装置２８４は、ＴＶ共聴伝送路２５３を介して受信した信号を一次バッファリングすることにより４５ｋｂｐｓのアナログ文字音声信号を抽出し、信号復号装置２６７で復号して公知のＴＶ受信機２６８で再生する。また、このとき、信号受信確認装置２８７が前述の同報無線信号の受信を確認すると、リモコン用赤外線信号発生装置２８８に告知情報を通知する。リモコン用赤外線信号発生装置２８８は、この告知情報を受けてＴＶ放送の待ち受け状態にある公知のＴＶ受信機２６８を立ち上げ、これにより同報無線信号の受信があったことを確実に通知する。
【００９７】
図１６は、本発明に係る第８の実施形態の防災情報配信システムの信号の流れを示す説明図である。復号化した４５ｋｂｐｓの信号３８１は、戸別受信機２８１からＴＶ共聴伝送路インタフェース２８２に送出される４５ｋｂｐｓの信号である。また、一時バッファリングした信号３８２は、ＴＶ共聴伝送路インタフェース２８２からＴＶ共聴伝送路２５３を介して専用受信装置２８４に伝送される信号であり、ＴＶ共聴伝送路インタフェース２８２において、前述の復号化した４５ｋｂｐｓの信号３８１を一時バッファリングして、例えば、デジタル放送のＴＳ（トランスポートストリーム）の所定長１８８バイトとなるようにダミービットを付加して高速で読み出した信号である。
【００９８】
専用受信装置２８４においては、上記の信号３３２を一時バッファリングして低速に読み出すことにより前述の復号化した４５ｋｂｐｓの信号３８１を再現し、信号復号装置２６７を介して公知のＴＶ受信機２６８に出力して表示する。また、専用受信装置２８４は、前述の（再現された）復号化した４５ｋｂｐｓの信号３８１を信号受信確認装置２８７にも出力し、これにより、信号受信確認装置２８７が前述の同報無線信号の受信を確認すると、リモコン用赤外線信号発生装置２８８に告知情報を通知する。
【００９９】
リモコン用赤外線信号発生装置２８８は、この告知情報を受けてＴＶ放送の待ち受け状態にある公知のＴＶ受信機２６８を立ち上げ、これにより、同報無線信号の受信があったことを確実に通知する。
【０１００】
以上説明したように、本実施形態の防災情報配信システムによれば、防災情報の配信があると、リモコン用赤外線信号によってＴＶ受信機２６８のチャネルが自動的に入り防災情報が再生されるため、ＴＶ受信機２６８のチャネルをつけていない者や災害弱者等にも防災情報の配信を確実に知らせることができる。また、防災情報の再生にＴＶ受信機２６８を用いているため、このための専用の装置を設ける必要がない。
【０１０１】
〔第９の実施形態〕
図１７は、本発明に係る第９の実施形態の防災情報配信システムを示す構成図である。
図１７に示すように、第９の実施形態の防災情報配信システムは、防災情報を一括して送信する親局１１０と、親局１１０から送信される防災情報を無線伝送路（無線回線）を介して受信する一般住宅に設置された戸別受信機２１０および集合住宅に設置された子局としての戸別受信機２９１と、後述するＴＶ（テレビジョン放送）共聴伝送路２５３とのインタフェースを有するＴＶ共聴伝送路インタフェース２９２と、ＴＶ信号を供給すると共にＴＶ共聴伝送路インタフェース２９２の出力信号を住宅内に配信するＴＶ共聴伝送路２５３と、専用受信装置２９４と、専用受信装置２９４に接続された信号復号装置２９７と、信号復号装置２９７に接続された公知のＴＶ受信機２６８とを備えて構成されている。
【０１０２】
なお、戸別受信機２９１用のアンテナは、安定かつ確実な受信を行うために電波障害や干渉を受けない位置と方向を選んで設置される。また、戸別受信機２９１用のアンテナは、テレビジョン放送用の既設の共聴アンテナを流用しても良い。
【０１０３】
また、戸別受信機２９１は特許請求の範囲の防災情報受信手段に該当し、ＴＶ共聴伝送路インタフェース２９２はＴＶ共聴伝送路インタフェース手段に該当し、戸別受信機２９１とＴＶ共聴伝送路インタフェース２９２とから構成される装置が特許請求の範囲の子局に該当する。
【０１０４】
以下、本実施形態の防災情報配信システムの動作について説明する。
親局１１０は、災害発生時等に、防災情報を例えば４５ｋｂｐｓのビットレートでデジタル同報無線通信手段を用いて無線伝送路に送信する。一般住宅に設置された複数の戸別受信機２１０は、親局１１０から無線伝送路を介して送信された防災情報を従来と同様に受信する。戸別受信機２９１は、複数の集合住宅の各々に設置された子局であり、親局１１０から無線伝送路を介して送信された防災情報を安定かつ確実に受信し、かつアナログ信号に復調してＴＶ共聴伝送路インタフェース２９２に送出する。
【０１０５】
ＴＶ共聴伝送路インタフェース２９２は、戸別受信機２９１で受信され復調された４５ｋｂｐｓの１６ＱＡＭ信号を一時バッファリングすることにより、例えば、各象限が４ビットの４象限から成る同報無線戸別受信機用の１６シンボルで構成される１６ＱＡＭ信号を生成する。その後、この信号の各象限の１ビットにダミービットを付加して４ビットと読み替えることで、各象限が１６ビットの４象限から成る６４シンボルで構成された６４ＱＡＭのデジタル放送信号を構成し、この構成した信号をＴＶ共聴伝送路２５３を介して専用受信装置２９４に伝送する。なお、この各象限が１６ビットの４象限から成る６４シンボルで構成された６４ＱＡＭのデジタル放送信号は、ＴＶ共聴伝送路２５３で伝送することが可能な信号である。
【０１０６】
専用受信装置２９４は、ＴＶ共聴伝送路２５３を介して受信した信号を一次バッファリングし、ダミービットを読み飛ばすことにより４５ｋｂｐｓの１６ＱＡＭ信号を抽出し、信号復号装置２９７で復号して公知のＴＶ受信機２６８で再生する。
【０１０７】
図１８は、本発明に係る第９の実施形態の防災情報配信システムの信号の流れを示す説明図である。復号化した４５ｋｂｐｓの１６ＱＡＭ信号３９１は、戸別受信機２８１からＴＶ共聴伝送路インタフェース２８２に送出される４５ｋｂｐｓの信号である。また、搬送信号３９３は、ＴＶ共聴伝送路インタフェース２９２から、ＴＶ共聴伝送路２５３を介して専用受信装置２９４に伝送される信号であり、ＴＶ共聴伝送路インタフェース２８２において、前述の復号化した４５ｋｂｐｓの１６ＱＡＭ信号３９１を一時バッファリングして、例えば、各象限が４ビットの４象限から成る同報無線戸別受信機用の１６シンボルで構成される１６ＱＡＭ信号を生成し、その後、この信号の各象限の１ビットを４ビットと読み替えるようにダミービットを付加して高速で読み出した信号（即ち、各象限が１６ビットの４象限から成る６４シンボルで構成された６４ＱＡＭのデジタル放送信号）である。
【０１０８】
専用受信装置２９４においては、上記の搬送信号３９３を一時バッファリングして低速に読み出すことにより前述の復号化した４５ｋｂｐｓの１６ＱＡＭ信号３９１を再現し、信号復号装置２９７を介して公知のＴＶ受信機２６８に出力して表示する。
【０１０９】
以上説明したように、本実施形態の防災情報配信システムによれば、ＴＶ共聴伝送路インタフェース２９２から専用受信装置２９４までの伝送をＱＡＭ信号で行っているため、ＴＶ共聴伝送路インタフェース２９２から専用受信装置２９４へのビットレートを上げることができる。また、防災情報の再生にＴＶ受信機２６８を用いているため、このための専用の装置を設ける必要がない。
【０１１０】
〔第１０の実施形態〕
図１９は、本発明に係る第１０の実施形態の防災情報配信システムを示す構成図である。
図１９に示すように、第１０の実施形態の防災情報配信システムは、防災情報を一括して送信する親局１１０と、親局１１０から送信される防災情報を無線伝送路（無線回線）を介して受信する一般住宅に設置された戸別受信機２１０および集合住宅に設置された子局としての戸別受信機１２０１と、後述するＴＶ（テレビジョン放送）共聴伝送路２５３とのインタフェースを有するＴＶ共聴伝送路インタフェース１２０２と、ＴＶ信号を供給すると共にＴＶ共聴伝送路インタフェース１２０２の出力信号を住宅内に配信するＴＶ共聴伝送路２５３と、専用受信装置１２０４と、専用受信装置１２０４に接続された信号復号装置２９７および信号受信確認装置２７７と、信号復号装置２９７に接続された公知のＴＶ受信機２６８と、信号受信確認装置２７７に接続されたフラッシュライト２７８とを備えて構成されている。
【０１１１】
なお、戸別受信機１２０１用のアンテナは、安定かつ確実な受信を行うために電波障害や干渉を受けない位置と方向を選んで設置される。また、戸別受信機１２０１用のアンテナは、テレビジョン放送用の既設の共聴アンテナを流用しても良い。
【０１１２】
また、戸別受信機１２０１は特許請求の範囲の防災情報受信手段に該当し、ＴＶ共聴伝送路インタフェース１２０２はＴＶ共聴伝送路インタフェース手段に該当し、戸別受信機１２０１とＴＶ共聴伝送路インタフェース１２０２とから構成される装置が特許請求の範囲の子局に該当する。
【０１１３】
以下、本実施形態の防災情報配信システムの動作について説明する。
親局１１０は、災害発生時等に、防災情報を例えば４５ｋｂｐｓのビットレートでデジタル同報無線通信手段を用いて無線伝送路に送信する。一般住宅に設置された複数の戸別受信機２１０は、親局１１０から無線伝送路を介して送信された防災情報を従来と同様に受信する。戸別受信機１２０１は、複数の集合住宅の各々に設置された子局であり、親局１１０から無線伝送路を介して送信された防災情報を安定かつ確実に受信し、かつアナログ信号に復調してＴＶ共聴伝送路インタフェース１２０２に送出する。
【０１１４】
ＴＶ共聴伝送路インタフェース１２０２は、戸別受信機１２０１で受信され復調された４５ｋｂｐｓの１６ＱＡＭ信号を一時バッファリングすることにより、例えば、各象限が４ビットの４象限から成る同報無線戸別受信機用の１６シンボルで構成される１６ＱＡＭ信号を生成する。その後、この信号の各象限の１ビットにダミービットを付加して４ビットと読み替えることで、各象限が１６ビットの４象限から成る６４シンボルで構成された６４ＱＡＭのデジタル放送信号を構成し、この構成した信号をＴＶ共聴伝送路２５３を介して専用受信装置１２０４に伝送する。なお、この各象限が１６ビットの４象限から成る６４シンボルで構成された６４ＱＡＭのデジタル放送信号は、ＴＶ共聴伝送路２５３で伝送することが可能な信号である。
【０１１５】
専用受信装置１２０４は、ＴＶ共聴伝送路２５３を介して受信した信号を一次バッファリングし、ダミービットを読み飛ばすことにより４５ｋｂｐｓの１６ＱＡＭ信号を抽出し、信号復号装置２９７で復号して公知のＴＶ受信機２６８で再生する。
【０１１６】
図２０は、本発明に係る第１０の実施形態の防災情報配信システムの信号の流れを示す説明図である。親局１１０から専用受信装置１２０４、専用受信装置１２０４から公知のＴＶ受信機２６８に至るまでの信号の流れは、第９の実施形態における親局１１０から専用受信装置２９４、専用受信装置２９４から公知のＴＶ受信機２６８に至るまでの信号の流れと同じである。以下、専用受信装置１２０４から信号受信確認装置２７７を介してフラッシュライト２７８に至り、さらにフラッシュライト２７８から出力される信号の流れを説明する。
【０１１７】
図２０において、専用受信装置１２０４がＴＶ共聴伝送路２５３を介して信号１３０１を受信し、信号受信確認装置２７７が信号１３０１を確認すると、告知情報受信を示す信号１３０２を生成してフラッシュライト２７８に送出する。フラッシュライト２７８は、この告知情報受信を示す信号１３０２の受信により、フラッシュライト駆動信号１３０３を発生してフラッシュライト（図示せず）を駆動する。
【０１１８】
以上説明したように、本実施形態の防災情報配信システムによれば、ＴＶ共聴伝送路インタフェース１２０２から専用受信装置１２０４までの伝送をＱＡＭ信号で行っているため、ＴＶ共聴伝送路インタフェース１２０２から専用受信装置１２０４へのビットレートを上げることができる。また、フラッシュライトによって防災情報の配信を通知することができるため、ＴＶ受信機２６８の電源を入れていない者や災害弱者等にも防災情報の配信を確実に知らせることができる。さらに、防災情報の再生にＴＶ受信機２６８を用いているため、このための専用の装置を設ける必要がない。
【０１１９】
〔第１１の実施形態〕
図２１は、本発明に係る第１１の実施形態の防災情報配信システムを示す構成図である。
図２１に示すように、第１１の実施形態の防災情報配信システムは、防災情報を一括して送信する親局１１０と、親局１１０から送信される防災情報を無線伝送路（無線回線）を介して受信する一般住宅に設置された戸別受信機２１０および集合住宅に設置された子局としての戸別受信機１２１１と、後述するＴＶ（テレビジョン放送）共聴伝送路２５３とのインタフェースを有するＴＶ共聴伝送路インタフェース１２１２と、ＴＶ信号を供給すると共にＴＶ共聴伝送路インタフェース１２１２の出力信号を住宅内に配信するＴＶ共聴伝送路２５３と、専用受信装置１２１４と、専用受信装置１２１４に接続された信号復号装置２６７および信号受信確認装置２８７と、信号復号装置２６７に接続された公知のＴＶ受信機２６８と、信号受信確認装置２８７に接続されたリモコン用赤外線信号発生装置２８８とを備えて構成されている。
【０１２０】
なお、戸別受信機１２１１用のアンテナは、安定かつ確実な受信を行うために電波障害や干渉を受けない位置と方向を選んで設置される。また、戸別受信機１２１１用のアンテナは、テレビジョン放送用の既設の共聴アンテナを流用しても良い。
【０１２１】
また、戸別受信機１２１１は特許請求の範囲の防災情報受信手段に該当し、ＴＶ共聴伝送路インタフェース１２１２はＴＶ共聴伝送路インタフェース手段に該当し、戸別受信機１２１１とＴＶ共聴伝送路インタフェース１２１２とから構成される装置が特許請求の範囲の子局に該当する。
【０１２２】
以下、本実施形態の防災情報配信システムの動作について説明する。
親局１１０は、災害発生時等に、防災情報を例えば４５ｋｂｐｓのビットレートでデジタル同報無線通信手段を用いて無線伝送路に送信する。一般住宅に設置された複数の戸別受信機２１０は、親局１１０から無線伝送路を介して送信された防災情報を従来と同様に受信する。戸別受信機１２１１は、複数の集合住宅の各々に設置された子局であり、親局１１０から無線伝送路を介して送信された防災情報を安定かつ確実に受信し、かつアナログ信号に復調してＴＶ共聴伝送路インタフェース１２１２に送出する。
【０１２３】
ＴＶ共聴伝送路インタフェース１２１２は、戸別受信機１２１１で受信され復調された４５ｋｂｐｓの１６ＱＡＭ信号を一時バッファリングすることにより、例えば、各象限が４ビットの４象限から成る同報無線戸別受信機用の１６シンボルで構成される１６ＱＡＭ信号を生成する。その後、この信号の各象限の１ビットにダミービットを付加して４ビットと読み替えることで、各象限が１６ビットの４象限から成る６４シンボルで構成された６４ＱＡＭのデジタル放送信号を構成し、この構成した信号をＴＶ共聴伝送路２５３を介して専用受信装置１２１４に伝送する。なお、この各象限が１６ビットの４象限から成る６４シンボルで構成された６４ＱＡＭのデジタル放送信号は、ＴＶ共聴伝送路２５３で伝送することが可能な信号である。
【０１２４】
専用受信装置１２１４は、ＴＶ共聴伝送路２５３を介して受信した信号を一次バッファリングし、ダミービットを読み飛ばすことにより４５ｋｂｐｓの１６ＱＡＭ信号を抽出し、信号復号装置２９７で復号して公知のＴＶ受信機２６８で再生する。
【０１２５】
図２２は、本発明に係る第１１の実施形態の防災情報配信システムの信号の流れを示す説明図である。親局１１０から専用受信装置１２１４、専用受信装置１２１４から公知のＴＶ受信機２６８に至るまでの信号の流れは、第９の実施形態における親局１１０から専用受信装置２９４、専用受信装置２９４から公知のＴＶ受信機２６８に至るまでの信号の流れと同じである。以下、専用受信装置１２１４から信号受信確認装置２８７を介してリモコン用赤外線信号発生装置２８８に至るまでの信号の流れを説明する。
【０１２６】
専用受信装置１２１４は、（再現された）復号化した４５ｋｂｐｓの信号１３１１を信号受信確認装置２８７にも出力し、これにより、信号受信確認装置２８７が前述の同報無線信号（信号１３１１）の受信を確認すると、リモコン用赤外線信号発生装置２８８に告知情報受信を示す信号１３１２を通知する。リモコン用赤外線信号発生装置２８８は、この告知情報受信を示す信号１３１２を受けて赤外線リモコン装置駆動信号１３１３を発信し、ＴＶ放送の待ち受け状態にある公知のＴＶ受信機２６８を立ち上げ、これにより、同報無線信号の受信があったことを確実に通知する。
【０１２７】
以上説明したように、本実施形態の防災情報配信システムによれば、ＴＶ共聴伝送路インタフェース１２１２から専用受信装置１２１４までの伝送をＱＡＭ信号で行っているため、ＴＶ共聴伝送路インタフェース１２１２から専用受信装置１２１４へのビットレートを上げることができる。また、防災情報の配信があると、リモコン用赤外線信号によってＴＶ受信機２６８の電源が自動的に入り防災情報が再生されるため、ＴＶ受信機２６８の電源を入れていない者や災害弱者等にも防災情報の配信を確実に知らせることができる。さらに、防災情報の再生にＴＶ受信機２６８を用いているため、このための専用の装置を設ける必要がない。
【０１２８】
【発明の効果】
以上説明したように、本発明に係る防災情報配信システムによれば、無線で防災情報を配信する場合であっても、受信装置に安定かつ確実に配信することができる。
【図面の簡単な説明】
【図１】本発明に係る第１の実施形態の防災情報配信システムを示す構成図
【図２】本発明に係る第１の実施形態の防災情報配信システムの信号の流れを示す説明図
【図３】本発明に係る第２の実施形態の防災情報配信システムを示す構成図
【図４】本発明に係る第２の実施形態の防災情報配信システムの信号の流れを示す説明図
【図５】本発明に係る第３の実施形態の防災情報配信システムを示す構成図
【図６】本発明に係る第３の実施形態の防災情報配信システムの信号の流れを示す説明図
【図７】本発明に係る第４の実施形態の防災情報配信システムを示す構成図
【図８】本発明に係る第４の実施形態の防災情報配信システムの信号の流れを示す説明図
【図９】本発明に係る第５の実施形態の防災情報配信システムを示す構成図
【図１０】本発明に係る第５の実施形態の防災情報配信システムの信号の流れを示す説明図
【図１１】本発明に係る第６の実施形態の防災情報配信システムを示す構成図
【図１２】本発明に係る第６の実施形態の防災情報配信システムの信号の流れを示す説明図
【図１３】本発明に係る第７の実施形態の防災情報配信システムを示す構成図
【図１４】本発明に係る第７の実施形態の防災情報配信システムの信号の流れを示す説明図
【図１５】本発明に係る第８の実施形態の防災情報配信システムを示す構成図
【図１６】本発明に係る第８の実施形態の防災情報配信システムの信号の流れを示す説明図
【図１７】本発明に係る第９の実施形態の防災情報配信システムを示す構成図
【図１８】本発明に係る第９の実施形態の防災情報配信システムの信号の流れを示す説明図
【図１９】本発明に係る第１０の実施形態の防災情報配信システムを示す構成図
【図２０】本発明に係る第１０の実施形態の防災情報配信システムの信号の流れを示す説明図
【図２１】本発明に係る第１１の実施形態の防災情報配信システムを示す構成図
【図２２】本発明に係る第１１の実施形態の防災情報配信システムの信号の流れを示す説明図
【符号の説明】
１１０　親局
２１０，２１１，２２１，２３１，２４１，２５１，２６１，２７１，２８１，２９１，１２０１，１２１１　戸別受信機
２１２，２２２，２３２，２４２　電力供給配線インタフェース
２１３　電力供給配線
２１４，２１５，２１６，２２４，２２５，２２６，２３４，２３５，２３６，２４４，２４５，２４６，２５４，２５５，２５６，２６４，２６５，２６６　住宅内受信装置
２５２，２６２，２７２，２８２，２９２，１２０２，１２１２　ＴＶ共聴伝送路インタフェース
２５３　ＴＶ共聴伝送路
２６７，２９７　信号復号装置
２６８　公知のＴＶ受信機
２７４，２８４，２９４，１２０４，１２１４　専用受信装置
２７７，２８７　信号受信確認装置
２７８　フラッシュライト
２８８　リモコン用赤外線信号発生装置
【図１】
2004072183.tif 000003
【図２】
2004072183.tif 000004
【図３】
2004072183.tif 000005
【図４】
2004072183.tif 000006
【図５】
2004072183.tif 000007
【図６】
2004072183.tif 000008
【図７】
2004072183.tif 000009
【図８】
2004072183.tif 000010
【図９】
2004072183.tif 000011
【図１０】
2004072183.tif 000012
【図１１】
2004072183.tif 000013
【図１２】
2004072183.tif 000014
【図１３】
2004072183.tif 000015
【図１４】
2004072183.tif 000016
【図１５】
2004072183.tif 000017
【図１６】
2004072183.tif 000018
【図１７】
2004072183.tif 000019
【図１８】
2004072183.tif 000020
【図１９】
2004072183.tif 000021
【図２０】
2004072183.tif 000022
【図２１】
2004072183.tif 000023
【図２２】
2004072183.tif 000024